(57)【要約】【課題】断路器と接地開閉器との一体機構を有する開閉装置の部品点数を削減するとともに、その構成の簡素化を可能とした開閉装置を提供する。【解決手段】真空バルブ１０の固定側電極１１とそれに電気的に接続された一方のブッシング４２と真空バルブ１０の可動側電極１２に電気的に接続された他方のブッシング４０と接地用端子部４４を一体にモールドした中空の固体絶縁物容器１内に、支持軸固定用の凹部５Ａを設け、この凹部５Ａに支持軸３６の端部を嵌め込み、この支持軸３６に一端が回転自在に固定された接地断路部用可動子３３を配置し、固体絶縁物容器１に、前記可動子３３を回転運動させるための操作機構部５１と、前記真空バルブ１０を開閉させるための操作機構部５０を機械的に接続した。【選択図】図１
2009164001.tif 000002
【特許請求の範囲】
【請求項１】
真空バルブの固定側電極とそれに電気的に接続された一方のブッシングと真空バルブの可動側電極に電気的に接続された他方のブッシングと接地用端子部を一体にモールドした中空の固体絶縁物容器内に、支持軸固定用の凹部を設け、この凹部に支持軸の端部を嵌め込み、この支持軸に一端が回転自在に固定された接地断路部用可動子を配置し、その可動子の回転自在に固定された一端は前記真空バルブの可動側電極と集電子を介して電気的に接続され、前記可動子の他端はその回転運動に伴って前記他方のブッシングまたは接地用端子部と電気的に接続され、前記固体絶縁物容器に、前記可動子を回転運動させるための操作機構部と、前記真空バルブを開閉させるための操作機構部を機械的に接続したことを特徴とする開閉装置。
【請求項２】
請求項１記載の開閉装置において、前記中空の固体絶縁物容器は、それぞれ別々にモールドされた複数の絶縁物容器を組み合わせることによって構成され、前記複数の絶縁物容器の接合部に、前記支持軸の凹部を有していることを特徴とする開閉装置。
【請求項３】
請求項１記載の開閉装置において、前記中空の固体絶縁物容器は、その内面に前記操作機構側の開口側から内部に向かう前記支持軸の凹部を有していることを特徴とする開閉装置。
【請求項４】
請求項１乃至３のいずれかに記載の開閉装置において、中空の固体絶縁物容器のブッシング部を除く外周に導電性塗料を塗布したことを特徴とする開閉装置。
【発明の詳細な説明】
【技術分野】
【０００１】
本発明は、真空バルブを一体にモールドした固体絶縁物容器内に回動型の接地断路部用可動子を設けた開閉装置に関するものである。
【背景技術】
【０００２】
真空バルブを用いた開閉装置において、回動可能なブレードなどを用いて断路器と接地開閉器とを一体機構するものがある。この断路器と接地開閉器とを一体機構したものは、ブレードを、絶縁ロッドからなるブレード操作部材により回動操作して、ブレードの先端部が母線端子と接触している位置では通電時の状態となり、また、ブレードの先端部が接地端子と接触している位置では接地の状態であり、通電位置と接地位置の中間の位置に保持したときは断路の状態となるものである（例えば、特許文献１参照。）。
【０００３】
【特許文献１】特開２００４−２２２３８１号公報
【発明の開示】
【発明が解決しようとする課題】
【０００４】
上述した回動可能なブレードなどを用いて断路器と接地開閉器とを一体機構するものにおいては、絶縁ガスが充填されているタンク内に、ブレードの基端部を絶縁物を介して回動可能に支持する構成を採用しなければならない。
【０００５】
上記の従来技術においては、真空バルブを収納した絶縁筒に、ブラケットを設け、このブラケットにブレードの基端を回動可能に支持する構成を採用しているが、このように、ブレードの基端を回動可能に支持する箇所が存在していればよいが、支持箇所がない場合には、ブレードの基端を回動可能に支持するための手段を、タンク内に新たに設けなければならない。このため、タンク内への設置部品が増加し、タンク内での配置構成が複雑化するという問題がある。
【０００６】
本発明は、上述した事柄に基づいてなされたもので、断路器と接地開閉器との一体機構を有する開閉装置の部品点数を削減するとともに、その構成の簡素化を可能とした開閉装置を提供することを目的とする。
【課題を解決するための手段】
【０００７】
上記の目的を達成するために、第１の発明は、真空バルブの固定側電極とそれに電気的に接続された一方のブッシングと真空バルブの可動側電極に電気的に接続された他方のブッシングと接地用端子部を一体にモールドした中空の固体絶縁物容器内に、支持軸固定用の凹部を設け、この凹部に支持軸の端部を嵌め込み、この支持軸に一端が回転自在に固定された接地断路部用可動子を配置し、その可動子の回転自在に固定された一端は前記真空バルブの可動側電極と集電子を介して電気的に接続され、前記可動子の他端はその回転運動に伴って前記他方のブッシングまたは接地用端子部と電気的に接続され、前記固体絶縁物容器に、前記可動子を回転運動させるための操作機構部と、前記真空バルブを開閉させるための操作機構部を機械的に接続したことを特徴とする開閉装置にある。
【０００８】
また、第２の発明は、第１の発明において、前記中空の固体絶縁物容器は、それぞれ別々にモールドされた複数の絶縁物容器を組み合わせることによって構成され、前記複数の絶縁物容器の接合部に、前記支持軸の凹部を有している。
【０００９】
更に、第３の発明は、第１の発明において、前記中空の固体絶縁物容器は、その内面に前記操作機構側の開口側から内部に向かう前記支持軸の凹部を有していることを特徴とする開閉装置。
【００１０】
また、第４の発明は、第１乃至第３の発明のいずれかにおいて、中空の固体絶縁物容器のブッシング部を除く外周に導電性塗料を塗布したことを特徴とする開閉装置。
【発明の効果】
【００１１】
本発明の開閉装置は、真空バルブの固定側電極とそれと電気的に接続された一方のブッシングと真空バルブの可動側電極に電気的に接続された他方のブッシングと接地用端子部を一体にモールドした中空の固体絶縁物容器内に、これによって支持される支持軸を設け、この支持軸に前記他方のブッシングと前記接地用端子部とに選択的に接離する接地断路部用可動子を配置したので、中空の固体絶縁物容器内の部品点数が削減され、またその構成を簡素化することができる。また、接地断路部用可動子の回転自在に固定された一端は、固体絶縁物容器内に形成された凹部に機械的に嵌めあわされて支持されるため、接地金属容器を用いる場合に必須となる接地断路部用可動子の回転自在な一端を固定支持するための絶縁物を省略することができる。
【発明を実施するための最良の形態】
【００１２】
以下、本発明の開閉装置の実施の形態を図面を用いて説明する。  
図１乃至図５は、本発明の開閉装置の一実施の形態を示すもので、図１は本発明の開閉装置の一実施の形態を構成する開閉ユニットの一相分の縦断側面図、図２は図１に示す本発明の開閉装置の一実施の形態を構成する開閉ユニットの三相分の左側面図、図３は図１に示す本発明の開閉装置の一実施の形態を構成する開閉ユニットの組み立て動作を説明する説明図、図４は図３のIV−IV矢視から開閉ユニットを構成する中空の固体絶縁物容器を見た図、図５は図１に示す本発明の開閉装置の一実施の形態を構成する開閉ユニットの接地状態を示す縦断平面図である。これらの図において、本発明の開閉装置の一実施の形態における開閉ユニットは、中空の固体絶縁物容器１を有している。この中空の固体絶縁物容器１Ａ〜１Ｃは、この例では、図２に示すように三相分横並びに配置され、各容器１Ａ〜１Ｃは、上側の容器１ａと、下側の容器１ｂとからなっている。なお、図１乃至図３は一相分部分の断面を示している。
【００１３】
固体絶縁物容器１Ａ〜１Ｃ下側の容器１ｂは、固定側電極１１と可動側電極１２とを収納した真空バルブ１０と、この真空バルブ１０の固定側電極１１に固定側ホルダ電極１３を介して電気的に接続されたブッシング母線４３Ａ〜４３Ｃと、このブッシング母線４３Ａ〜４３Ｃを覆う一方のブッシング４２Ａ〜４２Ｃとを一体に、あるいは相毎に別々にモールドして形成されている。ブッシング母線４３Ａ〜４３Ｃは負荷側に接続される。可動側電極１２は真空バルブ１０外に導出された可動側ホルダ電極１４に電気的に接続されている。
【００１４】
上側の容器１ａは、真空バルブ１０の可動側電極１２に電気的に接続されたブッシング母線４１Ａ〜４１Ｃと、このブッシング母線４１Ａ〜４１Ｃを覆う一方のブッシング４０Ａ〜４０Ｃとを一体に、あるいは相毎に別々にモールドして形成されている。ブッシング母線４１Ａ〜４１Ｃは母線側に接続される。
【００１５】
固体絶縁物容器１Ａ〜１Ｃを構成する上側の容器１ａと下側の容器１ｂ内には、接地断路部３４を構成する接地断路部用可動子３３とその支持軸３６とが配置されている。支持軸３６は、固体絶縁物容器１Ａ〜１Ｃを構成する上側の容器１ａと下側の容器１ｂとの接合部に設けた凹部５Ａ（図３、図４参照）に機械的に嵌め込み固定される。また、固体絶縁物容器１Ａ〜１Ｃを構成する上側の容器１ａと下側の容器１ｂとの接合部には、接地用端子部４４Ａ〜４４Ｃが、一体にモールドされている。
【００１６】
接地断路部用可動子３３は、その基端が中空の固体絶縁物容器１内の支持軸３６に回転自在に固定されるとともに、回転集電部３１、主回路導体３０を経て、真空バルブ１０の可動側電極１２と集電子３５を介して電気的に接続されている。接地断路部用可動子３３の他端は、その先端に集電子４６を備え、その回動運動に伴って他方のブッシング４０Ａまたは接地用端子部４４の集電子４５と電気的に接続される。
【００１７】
固体絶縁物容器１には、支持軸３６に設けたレバー３２、操作ロッド２１を介して接地断路部用可動子３３を回転運動させるための操作機構部５１と、可動側電極１２の可動側ホルダ電極１４に連結した操作ロッド２０を介して真空バルブ１０を開閉させるための操作機構部５０とが設けられている。三相分の真空バルブを一括して操作する真空バルブ用操作機構部５０と、三相分の接地断路部を一括して操作する接地断路部用操作機構部５１は、三相分横並びに配置した開閉器ユニットの背面に並べて配置されている。
【００１８】
前述した接地断路部用可動子３３、回転集電部３１、主回路導体３０からなる部材を組み立てる際には、これらを図３中の実線表記した位置から、２点差線表記した位置に移動させる。このとき、回転集電部３１は凹部５Ａにはめ込まれて機械的に支持される。その後、上側の固体絶縁物容器１ａを図３の紙面上方より嵌め合わせることによって、専用の絶縁支持部材を設けなくても、回転集電部３１が固体絶縁物容器１に機械的に支持可能になる。
【００１９】
次に、上述した本発明の開閉装置の一実施の形態の動作を説明する。  
まず、図１に示すように、接地断路部３４における接地断路部用可動子３３が、ブッシング母線４１Ａに接続され、真空バルブ１０が遮断されている状態から、真空バルブ用操作機構部５０により、真空バルブ１０の可動側電極１２を図１の紙面左方向に駆動し、固定側電極１１に当接させ、真空バルブ１０を投入状態にすると、ブッシング母線４３Ａとブッシング母線４１Ａの間は、真空バルブ１０、主回路導体３０、可動子３３を介して電気的に接続され、投入状態となる。
【００２０】
事故電流が流れた場合には、真空バルブ用操作機構部５０により、真空バルブ１０の可動側電極１２を紙面右方向に駆動し、真空バルブ１０を遮断すると、ブッシング母線４３Ａとブッシング母線４１Ａの間は、遮断状態となり、その後、接地断路部用操作機構部５１により、接地断路部用操作ロッド２１とレバー３２を介して可動子３３を反時計回りに回転させることにより、ブッシング母線４３Ａとブッシング母線４１Ａの間は、断路状態になる。  
次に、可動子３３を反時計回りにさらに回転させると、図５に示すように可動子３３は接地端子４４と電気的に接続され、その状態で真空バルブ１０を投入すると、ブッシング母線４３Ａと接地端子４４の間は、真空バルブ１０、主回路導体３０、可動子３３を介して電気的に接続されて、接地状態になる。
【００２１】
以上のように、投入状態から始まって遮断、断路、接地の各動作を説明したが、逆の手順により、接地、断路、遮断、投入の各動作を行うことができる。
【００２２】
上述の実施の形態によれば、ブッシングと真空バルブを一体にモールドした固体絶縁物容器内に接地断路部を設けたため、部品点数が削減され、構成が簡単になるという効果がある。また、固体絶縁物容器１を、それぞれ別々にモールドされた複数の固体絶縁物容器要素１ａおよび１ｂを組み合わせることによって構成したので、モールド用金型の構成が簡素化され、作業性が向上するという効果がある。
【００２３】
図６及び図７は、本発明の開閉装置の他の実施の形態を示すもので、図６は本発明の開閉装置の他の実施の形態を構成する開閉ユニットの組み立て動作を説明する説明図、図７は図６のVII−VII矢視から開閉ユニットを構成する中空の固体絶縁物容器を見た図である。これらの図において、図１乃至図５の符号と同符号のものは同一部分または相当する部分であるので、その詳細な説明を省略するが、この実施の形態は、図６に示すように、固体絶縁物容器１の図６の紙面右方向の開口部から左方にかけて凹部５Ａが形成されている。この凹部５Ａに、回転集電部３１を嵌め合わせながら、図６紙面左方に向かって押し込んで、所定の位置に固定する。その後、真空バルブ用操作ロッド２０と接地断路部用操作ロッド２１をそれぞれ真空バルブ１０の可動側ホルダ電極１４と、レバー３２に係合することによって、構成したものである。
【００２４】
この実施の形態によれば、ブッシングと真空バルブを一体にモールドした固体絶縁物容器内に接地断路部を設けたため、部品点数が削減され、構成が簡単になるという効果がある。また、固体絶縁物容器１を一体に形成することができるため、絶縁信頼性を向上することができる。
【００２５】
また、上述の実施の形態において、固体絶縁物容器１のブッシングを除く外周に導電性塗料を塗布することにより、上に述べた効果を削ぐことなく、固体絶縁物容器１の表面の帯電を防止することができる。
【図面の簡単な説明】
【００２６】
【図１】図１は本発明の開閉装置の一実施の形態を構成する開閉ユニットの一相分の縦断側面図である。
【図２】図１に示す本発明の開閉装置の一実施の形態を構成する開閉ユニットの三相分の左側面図である。
【図３】図１に示す本発明の開閉装置の一実施の形態を構成する開閉ユニットの組み立て動作を説明する説明図である。
【図４】図３のIV−IV矢視から開閉ユニットを構成する中空の固体絶縁物容器を見た図である。
【図５】図１に示す本発明の開閉装置の一実施の形態を構成する開閉ユニットの接地状態を示す縦断平面図である。
【図６】本発明の開閉装置の他の実施の形態を構成する開閉ユニットの組み立て動作を説明する説明図である。
【図７】図６のVII−VII矢視から開閉ユニットを構成する中空の固体絶縁物容器を見た図である。
【符号の説明】
【００２７】
１          固体絶縁物容器
１ａ        上側の固体絶縁物容器
１ｂ        下側の固体絶縁物容器
５Ａ        凹部
１０        真空バルブ
１１        固定側電極
１２        可動側電極
１３        固定側ホルダ電極
１４        可動側ホルダ電極
２０        真空バルブ用操作ロッド
２１        接地断路部用操作ロッド
３０        主回路導体
３１        回転集電部
３２        レバー
３３        可動子
３４        接地断路部
３５        集電子
３６        支持軸
４０        ブッシング
４１        ブッシング用母線
４２        ブッシング
４３        ブッシング用母線
４４        接地端子
４６        集電子
【図１】
2009164001.tif 000003
【図２】
2009164001.tif 000004
【図３】
2009164001.tif 000005
【図４】
2009164001.tif 000006
【図５】
2009164001.tif 000007
【図６】
2009164001.tif 000008
【図７】
2009164001.tif 000009